(57)【要約】【課題】突き合わせ部分における床梁，天井梁及び柱の二重配置を回避し、原材料を少なくすることのできる建物ユニットを提供する。【解決手段】梁１１，１２及び柱１３から成るユニットプレハブ工法に使用される建物ユニット１０において、他のユニットに隣接する少なくとも一つの側面１４の両側に位置する一対の柱１３を、着脱可能な仮柱１３ｂとして構成する。【選択図】図１
2009155986.tif 000002
【特許請求の範囲】
【請求項１】
梁及び柱から成るユニットプレハブ工法で使用される建物ユニットであって、
他のユニットに隣接する少なくとも一つの側面の両側に位置する一対の柱が、着脱可能な仮柱として構成されていることを特徴とする、建物ユニット。
【請求項２】
前記一対の仮柱が、非仮柱に比して低い断面性能を有する柱であることを特徴とする、請求項１に記載の建物ユニット。
【請求項３】
他のユニットに隣接する少なくとも一つの側面の上下縁に位置する一対の梁が、着脱可能な仮梁として構成されていることを特徴とする、請求項１または２に記載の建物ユニット。
【請求項４】
前記一対の仮梁が、非仮梁に比して低い断面性能を有する梁であることを特徴とする、請求項３に記載の建物ユニット。
【請求項５】
前記仮梁が、対向する反対側の梁または仮梁との間に設けられた天井小梁または床小梁を支持することを特徴とする、請求項３または４に記載の建物ユニット。
【請求項６】
当該建物ユニットが他の建物ユニットと連結されて一つの建物を構築するとき、他の建物ユニットの側面に対向する両側に仮柱を有する側面が、他の建物ユニットに対して接続されることを特徴とする、請求項１から５の何れかに記載の建物ユニット。
【請求項７】
柱及び梁を構成する枠状の連結フレームを有し、この連結フレームを介して他の建物ユニットに接続されることを特徴とする、請求項１から５の何れかに記載の建物ユニット。
【請求項８】
他の建物ユニットに接続されるとき、前記他の建物ユニットに対向する側面の両側の仮柱または仮梁が取り外されることを特徴とする、請求項１から７の何れかに記載の建物ユニット。
【発明の詳細な説明】
【技術分野】
【０００１】
本発明は、プレハブユニット工法に使用される建物ユニットに関するものである。
【背景技術】
【０００２】
従来、プレハブユニット工法に使用される建物ユニットは、例えば図７に示すように構成されている。図７において、建物ユニット１は箱状に構成されており、より詳細には長方形の床を画成する枠状に接続された四つの床梁２と、同様に長方形の天井を画成する枠状に接続された四つの天井梁３と、これらの床梁２と天井梁３の角部を垂直方向に接続する四本の柱４と、から構成されている。
【０００３】
さらに、床梁２は、図示のように長手方向に延びる一方の梁２ａから反対側の梁２ｂに向かって互いに並行に延びる複数本、図示の場合、七本の床小梁２ｃを支持している。同様に、天井梁３は、図示のように長手方向に延びる一方の梁３ａから反対側の梁３ｂに向かって互いに並行に延びる複数本、図示の場合、七本の天井小梁３ｃを支持している。
【０００４】
このような構成の建物ユニット１は、それ自体、互いに接続された床梁２，天井梁３及び柱４、そして床小梁２ｃ及び天井小梁３ｃにより、建物構築時に必要な強度を備えており、各床梁２，天井梁３及び柱４は、それぞれ必要な強度を得るための断面性能を備えている。
【０００５】
建物ユニット１はそれぞれ工場で製造され、建築現場に運搬されて、建築現場において図７（Ｂ）に示すように互いに隣接配置される。そして、互いに隣接する建物ユニット１，１の互いに対向する側面が突き合わされ、ボルト等により互いに接続されて建物を構成する。
【０００６】
ここで、各建物ユニット１は、工場生産率が高いことから、品質確保と建築現場における工期短縮等のために、工場において床及び天井を組み付けする必要があり、これらの床及び天井を固定するために、前述した床小梁２ｃ及び天井小梁３ｃを備えなければならない。
さらに、床面から天井面の間に、部屋を区切るための内部壁（間仕切り壁）を取り付けたり、キッチン等の装備品を工場で設置するので、工場から出荷する際には、床小梁２ｃ及び天井小梁３ｃを架設する必要がある。このため、工場出荷時には、建物ユニット１は必ず前述した箱状に形成されていなければならない。
【０００７】
ところで、従来、一般的ないわゆる軸組工法においては、使用する梁の許容スパンに応じて柱等を設置する、具体的には、図８（Ａ）に示すように、床梁５，天井梁６及び柱７によりＡ×Ｂの空間を構築する場合、長さＡ方向には中間の柱が設定されず、また幅Ｂ方向には中間に一本の柱７が設定される。これにより、各所における強度を確保している。
【０００８】
他方、上述した建物ユニット１によりＡ×Ｂの空間を構築する場合には、例えば図８（Ｂ）に示すように、幅Ｂ方向に建物ユニット１が二つ並んで配置される。この場合、建物ユニット１を並べることによって、Ａ×Ｂの空間が構築される。
【発明の開示】
【発明が解決しようとする課題】
【０００９】
しかしながら、建物ユニット１，１の互いに突き合わされる側面において、図８（Ｂ）に示すように、床梁２，天井梁３及び二本の柱４がそれぞれ二重に配置されてしまう。このため、建物ユニット１，１の突き合わせ部分においては、所定の断面性能を有する床梁２，天井梁３及び柱４が二重に配置されることによって、結果として必要以上の断面性能を備えることになってしまい、材料コストが高くなってしまう。また、建物内部においても、柱が二重に配置されることによって、内部空間即ち居住空間等の利用可能空間が狭くなると共に、間取り計画が制限されることになってしまう。
【００１０】
本発明は以上の点に鑑み、突き合わせ部分における床梁，天井梁及び柱の二重配置を回避し、原材料を少なくすることのできる建物ユニットを提供することを目的としている。
【課題を解決するための手段】
【００１１】
上記目的を達成するため、本発明は、梁及び柱から成るユニットプレハブ工法で使用される建物ユニットであって、他のユニットに隣接する少なくとも一つの側面の両側に位置する一対の柱が、着脱可能な仮柱として構成されていることを特徴とする。
【００１２】
建物ユニットは、好ましくは、一対の仮柱が非仮柱に比して低い断面性能を有する柱である。
【００１３】
建物ユニットは、好ましくは、他のユニットに隣接する少なくとも一つの側面の上下縁に位置する一対の梁が、着脱可能な仮梁として構成されている。
【００１４】
建物ユニットは、好ましくは、一対の仮梁が非仮梁に比して低い断面性能を有する梁である。
【００１５】
また、仮梁は、好ましくは、対向する反対側の梁または仮梁との間に設けられた天井小梁または床小梁を支持する。
【００１６】
建物ユニットは、当該建物ユニットが他の建物ユニットと連結されて、一つの建物を構築するとき、他の建物ユニットの側面に対向する両側に仮柱を有する側面が、他の建物ユニットに対して接続されることが望ましい。
【００１７】
建物ユニットは、好ましくは、柱及び梁を構成する枠状の連結フレームを有し、この連結フレームを介して他の建物ユニットに接続される。
【００１８】
本発明による建物ユニットは、好ましくは、他の建物ユニットに接続されるとき、前記他の建物ユニットに対向する側面の両側の仮柱及び／又は仮梁が取り外される。
【発明の効果】
【００１９】
上記構成によれば、仮柱が非仮柱に比して低い断面性能を有する柱として形成され、また仮梁が非仮梁に比して低い断面性能を有する梁として形成されることによって、当該建物ユニットを他の建物ユニットに対して突き合わせた状態で、突き合わせ部分で建物として所定の断面性能を有する柱及び梁が二重に配置されることがないので、材料コストが低減されると共に、内部空間が二重の柱により制限されることがない。
【００２０】
梁が、対向する反対側の梁との間に設けられた天井小梁または床小梁を支持することにより、天井小梁または床小梁が梁または仮梁によって確実に支持される。
【００２１】
当該建物ユニットが他の建物ユニットと連結されて一つの建物を構築するとき、他の建物ユニットの側面に対向する両側に仮柱を有する側面が、他の建物ユニットに対して接続される場合には、突き合わせ部分において、他の建物ユニットの柱が当該建物ユニットの柱として作用することにより、所定の断面性能を得ることができる。
【００２２】
柱及び梁を構成する枠状の連結フレームを有し、この連結フレームを介して他の建物ユニットに接続される場合には、他の建物ユニットの突き合わせ部分にも仮柱及び仮梁が配置されていても、この連結フレームの柱及び梁によって所定の断面性能を得ることができる。
【００２３】
他の建物ユニットに接続されるとき、前記他の建物ユニットに対向する側面の両側の仮柱または仮梁が取り外される場合には、建物の所定の強度を確保するためには寄与しない仮柱または仮梁が取り外されても、必要な建物の強度が得られると共に、取り外された仮柱または仮梁は再利用され得ることになり、材料コストがより一層低減される。
【００２４】
このように、本発明によれば、他の建物ユニットに対する突き合わせ部分における柱または梁が仮柱または仮梁として形成されることによって、建物を構築する場合に、柱や梁が二重に配置されることがなく、材料コストが低減され得ると共に、広い内部空間が確保される。
【発明を実施するための最良の形態】
【００２５】
以下、図面に示した実施形態に基づいて本発明を詳細に説明する。
図１は本発明による建物ユニットの一実施形態の構成を示している。建物ユニット１０は箱状に構成されており、より詳細には長方形の床を画成する枠状に接続された四つの床梁１１と、同様に長方形の天井を画成する枠状に接続された四つの天井梁１２と、これらの床梁１１と天井梁１２の角部を垂直方向に接続する四本の柱１３と、から構成されている。
【００２６】
床梁１１は、長手方向に延びる一方の梁から反対側の梁に向かって互いに並行に延びる複数本、図示の場合、七本の床小梁１１ａを支持している。同様に、天井梁１２は、長手方向に延びる一方の梁から反対側の梁に向かって互いに並行に延びる複数本、図示の場合、七本の天井小梁１２ａを支持している。
【００２７】
ここで、建物ユニット１０は、図面右手前の側面１４が、他の建物ユニットに対し隣接して配置されて接続されるようになっている。このために、建物ユニット１０は、この側面１４を画成する床梁，天井梁及び両側の柱が、仮床梁１１ｂ，仮天井梁１２ｂ及び仮柱１３ｂとして形成されている。ここで、仮梁以外の梁を非仮梁、仮柱以外の柱を非仮柱とする。
仮床梁１１ｂ，仮天井梁１２ｂ及び仮柱１３ｂは、非仮梁及び非仮柱に比して低い断面性能を有する。より具体的には、工場生産後に建築現場に搬送され、他の建物ユニットと接続されて、建物を構築するまでの間、建物ユニット１０自体が箱型を維持するために必要最低限の断面性能を有する程度に、細く形成されている。これにより、各床小梁１１ａは、それぞれ床梁１１及び仮床梁１１ｂにより支持され、また各天井小梁１２ａは、それぞれ天井梁１２及び仮天井梁１２ｂにより支持されることになる。
【００２８】
さらに、仮柱１３ｂは、それぞれ対応する床梁１１，天井梁１２の一端に対して着脱可能に接続されるように、接続金具１３ｃを備えている。接続金具１３ｃは様々な態様が実施可能であり、例えば図３（Ａ）から（Ｄ）に示すように構成されている。即ち、図３（Ａ）に示すように、接続金具１３ｃは仮柱１３ｂの上端面により構成されており、天井梁１２と仮梁１２ｂとを接続するジョイントピース１２ｃの下面に突き合わせられて、下方からボルト等により固定される。
【００２９】
また、図３（Ｂ）に示すように、接続金具１３ｃは、仮柱１３ｂの上端から水平方向に張り出しており、この張り出し部分が、ジョイントピース１２ｃに近い仮梁１２ｂに対してボルト等により固定されるようになっていてもよい。
さらに、図３（Ｃ）に示すように、接続金具１３ｃは、仮柱１３ｂの上端の側縁から垂直に上方に向かって張り出しており、この張り出し部分が、接続コーナー部のジョイントピース１２ｃに近い梁１２の側面に対してボルト等により固定されるようになっていてもよい。
【００３０】
また、図３（Ｄ）に示すように、仮柱１３がアングル材により構成されており、その隅部が内側になるように配置されて、仮柱１３の上端の各面が、それぞれ天井梁１２及び仮梁１２ｂの端面に対向してボルト等により固定されることにより、それ自体接続金具として機能するようになっていてもよい。この場合には、ジョイントピース１２ｃが不要であると共に、他の建物ユニットと組み合わせて建物を構築した後に、仮柱１３は取り外されない。
以上は、天井梁１２と仮柱１３ｂとの接続について説明したが、床梁１１と仮柱１３ｂとの接続も同様に行なわれる。
【００３１】
本発明実施形態による建物ユニット１０は以上のように構成されており、図７に示した従来と同様の構成の建物ユニット１に対して接続する場合には、図２（Ａ）に示すように、本発明による建物ユニット１０の側面１４を建物ユニット１の側面に対向させて、図２（Ｂ）に示すように突き合わせる。
この状態から、図４（Ａ）に示すように、天井梁１２及び仮天井梁１２ｂの接続部分、即ちジョイントピース１２ｃを、建物ユニット１の柱４の上端側面に設けられた取付板４ｃに対してボルト等により固定する。さらに、図２に示すように、天井梁３に接続金具３１を備えておき、これを仮天井梁１２ｂにおける接続金具３１に対応する部分に備えた被接続部（図示省略）に接続してもよい。
【００３２】
ここで、ジョイントピース１２ｃは、図４（Ｂ）に示すように、横断面「コ」字状に形成されており、柱４に対向する面にボルト等を挿通するための取付孔１２ｄが備えられていてもよい。なお、ジョイントピース１２ｃは、図４（Ｃ）に示すように、板状に構成され、天井梁１２または仮梁１２ｂの端面に対して取り付けられていてもよい。また、ジョイントピース１２ｃは、図４（Ｄ）に示すように、天井梁１２または仮梁１２ｂの側面により構成され、この側面に取付孔１２ｄが備えられていてもよい。
以上は天井梁１２の接続について説明したが、床梁１１の接続も同様に行なわれる。
【００３３】
このようにして構築された建物２０は、図２（Ｂ）に示すように、建物ユニット１０の突き合わせ面１４において、床梁１１，天井梁１２そして柱１３が二重にならない。
また、建物ユニット１０は、その突き合わせ面１４において、建物ユニット１の床梁２，天井梁３及び柱４により支持され、建物構築時に必要な強度がこれらの床梁２，天井梁３及び柱４によって確保される。
【００３４】
仮床梁１１ｂ，仮天井梁１２ｂ及び仮柱１３ｂは、建物構築の際に建物ユニット１０に取り付けられたままであってもよいが、建物ユニット１０を建物ユニット１に対して接続する前または後に、これら仮床梁１１ｂ，仮天井梁１２ｂ及び仮柱１３ｂが取り外されてもよい。取り外された仮床梁１１ｂ，仮天井梁１２ｂ及び仮柱１３ｂは、再び、建物ユニット１０を製造する場合に再利用される。
【００３５】
さらに、このようにして組み立てられた建物ユニット１０及び建物ユニット１から成る建物２０は、図５に示すように上下方向に関して二段に重ねられてもよい。この場合は、従来の建物ユニット１を上下方向に二段に重ねる場合と同様にして、二階建ての建物３０が構築される。
【００３６】
図６は、図１に示した建物ユニット１０を二つ並べて接続する場合を示している。この場合、各建物ユニット１０の突き合わせ面１４において、床梁１１，天井梁１２及び柱１３として作用する枠状の連結フレーム４０が使用される。
連結フレーム４０は、床梁４１，天井梁４２及び両側の柱４３から長方形の枠状に形成されている。これらの床梁４１，天井梁４２及び両側の柱４３は、建物ユニット１０における床梁１１，天井梁１２及び両側の柱１３と同じ寸法で形成されている。
【００３７】
そして、二つの建物ユニット１０が、それぞれ突き合わせ面１４が互いに対向するように隣接して、連結フレーム４０を挟むようにして配置され、図６（Ｂ）に示すように突き合わせられる。この状態から、各建物ユニット１０の突き合わせ面１４に在る短手方向の床梁１１，天井梁１２の端面が、連結フレーム４０に対してボルト等により固定され、建物５０が構築されることになる。この場合、仮柱１３ｂのみが取り外されており、仮床梁１１ｂ，仮天井梁１２ｂはそのまま残されている。
【００３８】
この建物５０は、前述した建物２０と同様に、建物ユニット１０の突き合わせ面１４において、床梁１１，天井梁１２そして柱１３が二重にならない。また、建物ユニット１０は、その突き合わせ面１４において、連結フレーム４０の床梁４１，天井梁４２及び柱４３により支持され、建物構築時に必要な強度が連結フレーム４０によって確保され得る。この場合も、各建物ユニット１０の仮床梁１１ｂ，仮天井梁１２ｂは、取り外されてもよく、また仮柱１３ｂがそのまま残されてもよい。
【産業上の利用可能性】
【００３９】
本発明はその趣旨を逸脱しない範囲において様々な形態で実施することができる。
例えば、建物ユニット１０は、その一側の側面のみが突き合わせ面１４として、この突き合わせ面１４内に位置する床梁１１，天井梁１２及び柱１３が、それぞれ仮床梁１１ｂ，仮天井梁１２ｂ及び仮柱１３ｂとして構成されているが、これに限らず、建物ユニット１０の複数の側面が突き合わせ面１４として、この突き合わせ面１４内に位置する床梁１１，天井梁１２及び柱１３が、それぞれ仮床梁１１ｂ，仮天井梁１２ｂ及び仮柱１３ｂとして構成されていてもよい。
【００４０】
以上述べたように、本発明によれば、突き合わせ部分における床梁，天井梁及び柱の二重配置を回避するようにした、極めて優れた建物ユニットが提供される。
【図面の簡単な説明】
【００４１】
【図１】本発明による建物ユニットの一実施形態の構成を示す概略斜視図である。
【図２】図１の建物ユニットを従来の箱状の建物ユニットに突き合わせる場合において、（Ａ）は接続前の、（Ｂ）は接続後の状態を示す概略斜視図である。
【図３】図２に示す突き合わせ状態の建物ユニットを縦方向に二段に積み重ねる状態を示す概略斜視図である。
【図４】図１の建物ユニットにおける隅部における仮柱の納まり状態の複数の例を示す部分拡大斜視図である。
【図５】図２の建物ユニットの突き合わせ部分における接続された梁の納まり状態の複数の例を示す部分拡大斜視図である。
【図６】図１の建物ユニットを二つ横に並べて連結フレームを介して突き合わせる場合において、（Ａ）は接続前の、（Ｂ）は接続後の状態を示す概略斜視図である。
【図７】従来の建物ユニットの一例の構成を二つ横に並べて突き合わせる場合において、（Ａ）は接続前の、（Ｂ）は接続後の状態を示す概略斜視図である。
【図８】（Ａ）は従来の軸組工法による建物、（Ｂ）は図７の建物ユニットによる建物における床梁，天井梁及び柱の組合せ状態を示す概略斜視図である。
【符号の説明】
【００４２】
１０    建物ユニット
１１    床梁
１１ａ  床小梁
１１ｂ  仮梁
１２    天井梁
１２ａ  天井小梁
１２ｂ  仮梁
１２ｃ  ジョイントピース
１２ｄ  取付孔
１３    柱
１３ｂ  仮柱
１３ｃ  接続金具
１４    突き合わせ面
２０，３０，５０    建物
４０    連結フレーム
４１    床梁
４２    天井梁
４３    柱
【図１】
2009155986.tif 000003
【図２】
2009155986.tif 000004
【図３】
2009155986.tif 000005
【図４】
2009155986.tif 000006
【図５】
2009155986.tif 000007
【図６】
2009155986.tif 000008
【図７】
2009155986.tif 000009
【図８】
2009155986.tif 000010